(57)【要約】【課題】本発明は、ドラムヘッドに響線の端部を密着させることができるスネアワイヤ及びスネアドラムを提供することにある。【解決手段】スネアワイヤは、響線１１と、響線１１の両端部に固定された一対の取付具１２とを備えている。取付具１２は、響線１１が接合される接合部２０と、ストラップ５又はコードが引っ掛けられる引っ掛け部２３と、引っ掛け部２３に引っ掛けられたストラップ５又はコードと接触してドラムヘッド４から離間する方向に押圧される押圧部２５とを備えている。引っ掛け部２３は、ドラムヘッド４の中心Ｏと押圧部２５との間に配置され、かつ接合部２０の下方に配置されている。【選択図】図６
2018004994.tif 000002
【特許請求の範囲】
【請求項１】
響線と、前記響線の両端部に固定された一対の取付具とを備えたスネアワイヤであって、
前記取付具は、
前記響線が接合される接合部と、
引張部材が引っ掛けられる引っ掛け部と、
前記引っ掛け部に引っ掛けられた前記引張部材と接触してドラムヘッドから離間する方向に押圧される押圧部とを備え、
前記引っ掛け部は、前記ドラムヘッドの中心と前記押圧部との間に配置され、かつ前記接合部の下方に配置されていることを特徴とするスネアワイヤ。
【請求項２】
請求項１記載のスネアワイヤにおいて、
前記引張部材の前記引っ掛け部との接触位置が、前記接合部の下方に配置されていることを特徴とするスネアワイヤ。
【請求項３】
請求項１又は２記載のスネアワイヤにおいて、
前記取付具は、前記スネアワイヤの長手方向と直交する方向から見て、断面Ｕ字状に形成されていることを特徴とするスネアワイヤ。
【請求項４】
請求項１〜３のうちいずれか一項に記載のスネアワイヤにおいて、
前記取付具は、更に、前記押圧部と前記引っ掛け部とを繋ぐ連接部を有し、
前記連接部は、前記引っ掛け部に引っ掛けられた前記引張部材よりも下方に配置されていることを特徴とするスネアワイヤ。
【請求項５】
請求項４記載のスネアワイヤにおいて、
前記連接部は、前記連接部と前記押圧部とが鈍角をなすように、前記押圧部に連接され、
前記引張部材の前記引っ掛け部との接触部分は、Ｒ形状を有していることを特徴とするスネアワイヤ。
【請求項６】
請求項１〜５のうちいずれか一項に記載のスネアワイヤにおいて、
前記取付具は、更に、前記接合部の先端に延設部を有し、
前記延設部は、前記引っ掛け部に引っ掛けられた前記引張部材と接触可能な位置に設けられると共に、前記引っ掛け部に引っ掛けられた前記引張部材と同方向に延びていることを特徴とするスネアワイヤ。
【請求項７】
請求項１〜６のうちいずれか一項に記載のスネアワイヤにおいて、
前記引張部材は、ストラップ又はコードであり、
前記取付具は、前記ストラップが通されるストラップ孔と、前記コードが通されるコード孔とを有し、
前記ストラップ孔及び前記コード孔は、前記引っ掛け部の共通の面に開口していることを特徴とするスネアワイヤ。
【請求項８】
請求項７記載のスネアワイヤにおいて、
前記押圧部は、前記引っ掛け部に引っ掛けられたストラップと当接する平板部と、前記引っ掛け部に引っ掛けられたコードと嵌合する嵌合凹部とを備え、
前記嵌合凹部は、前記コードの直径と対応する寸法だけ前記平板部を部分的に凹ませてなることを特徴とするスネアワイヤ。
【請求項９】
請求項１〜８のうちいずれか一項に記載のスネアワイヤにおいて、
前記取付具は、前記引っ掛け部と前記押圧部との間の距離を変更可能に構成されていることを特徴とするスネアワイヤ。
【請求項１０】
円筒状のシェルと、前記シェルの上下の開口端をそれぞれ閉塞する一対のドラムヘッドと、響線と前記響線の両端部に固定された一対の取付具とを有するスネアワイヤとを備えたスネアドラムであって、
前記取付具は、
前記響線が接合される接合部と、
引張部材が引っ掛けられる引っ掛け部と、
前記引っ掛け部に引っ掛けられた前記引張部材と接触して前記ドラムヘッドから離間する方向に押圧される押圧部とを備え、
前記引っ掛け部は、前記ドラムヘッドの中心と前記押圧部との間に配置され、かつ前記接合部の下方に配置されていることを特徴とするスネアドラム。
【発明の詳細な説明】
【技術分野】
【０００１】
本発明は、スネアワイヤ及びスネアドラムに関する。
【背景技術】
【０００２】
スネアワイヤは、響線と、響線の両端部に固定された一対の取付具とを備えている。スネアワイヤは、一対の取付具に引っ掛けられたストラップやコードを用いて、スネアドラムに取り付けられると共に、下側のドラムヘッドに接触した位置とドラムヘッドから離間した位置とに選択的に切換可能に支持されている。スネアドラムの演奏時、スネアワイヤの位置は、ドラムヘッドに接触した位置に切り換えられる。この状態で、上側のドラムヘッドが叩打されると、スネアワイヤが振動して、スネアドラム独特の音を奏する。この場合、スネアドラム独特の音をより響かせるには、下側のドラムヘッドに響線の全体を密着させることが望ましい。
【０００３】
特許文献１又は特許文献２は、ストラップを用いてスネアドラムに取り付けられるスネアワイヤをそれぞれ開示している。特許文献１に開示のスネアワイヤは、ドラムヘッドに響線を密着させるための構成として、中央付近で屈曲されたプレート状の取付具を備えている。取付具は、響線が溶接される前板部と、ストラップが通される長孔を含む後板部とを有している。また、取付具は、ストラップが通される長孔と同じ位置に、ストラップが引っ掛けられる引っ掛け部を有している。引っ掛け部は、断面略Ｕ字状の凸部からなり、響線が溶接される面と反対側に突出している。この構成によれば、引っ掛け部に引っ掛けられたストラップが引っ張られると、ストラップにより後板部が下方に押圧されることで、取付具の全体が回転し、前板部がドラムヘッドに向けて上方へと移動する。こうして、前板部に溶接された響線が、ドラムヘッドに押し当てられる。
【０００４】
特許文献２に開示のスネアワイヤも、特許文献１に開示のスネアワイヤと同様に、中央付近で屈曲されたプレート状の取付具を備えている。この文献に開示の取付具は、ドラムヘッドに響線を密着させるための構成として、ストラップを固定した後板部に凸部を有している。凸部は、響線が溶接される面と同じ側に突出している。凸部は、取付具の後板部の高さを、響線が溶接されて厚みを増した前板部の高さと同じにするためのものである。この構成によれば、取付具の後板部に固定されたストラップが引っ張られると、後板部の凸部がドラムヘッドに当接されることで、ドラムヘッドから前板部が浮き上がらなくなる。こうして、前板部に溶接された響線が、ドラムヘッドに当接される。
【先行技術文献】
【特許文献】
【０００５】
【特許文献１】特開平８−５４８７４号公報
【特許文献２】特開２００３−２７１１２９号公報
【発明の概要】
【０００６】
しかしながら、特許文献１に開示の発明によれば、引っ掛け部に引っ掛けられたストラップが引っ張られても、ストラップにより後板部を押圧する力が小さいため、取付具を回転させる力も小さい。このため、前板部に溶接された響線の全体を、ドラムヘッドに確実に押し当てることができない。また、特許文献２に開示の発明によっても、取付具の前板部を、ドラムヘッドに当接させるだけであり、ドラムヘッドに確実に押し当てることができない。このように、上記両文献に開示のスネアワイヤの構成では、前板部に溶接された響線のうち、ドラムヘッドの中央に近い部分に比べ、響線の端部がドラムヘッドから浮き上がり易くなっている。このため、ドラムヘッドに響線の端部を密着させることができず、ひいては、ドラムヘッドに響線の全体を密着させることができない。
【発明が解決しようとする課題】
【０００７】
本発明の目的は、ドラムヘッドに響線の端部を密着させることのできるスネアワイヤ及びスネアドラムを提供することにある。
【課題を解決するための手段】
【０００８】
上記の目的を達成するために、請求項１に記載の発明は、響線と、響線の両端部に固定された一対の取付具とを備えたスネアワイヤであって、取付具は、響線が接合される接合部と、引張部材が引っ掛けられる引っ掛け部と、引っ掛け部に引っ掛けられた引張部材と接触してドラムヘッドから離間する方向に押圧される押圧部とを備え、引っ掛け部は、ドラムヘッドの中心と押圧部との間に配置され、かつ接合部の下方に配置されていることを要旨とする。
【０００９】
この構成によれば、引っ掛け部をドラムヘッドの中心と押圧部との間に配置し、かつ接合部の下方に配置することで、押圧部は、引っ掛け部に引っ掛けられた引張部材により下方に押圧される。これにより、取付具の全体が回転し、引っ掛け部の上方に位置する接合部が、ドラムヘッドに向けて上方へと移動する。こうして、接合部に接合された響線が、ドラムヘッドに押し当てられる。このとき、引っ掛け部を接合部の下方に配置したことで、取付具を回転させる力が大きくなり、響線をドラムヘッドに押し当てる力も大きくなる。このため、響線の端部をドラムヘッドから浮き上がらせずに、ドラムヘッドに密着させることができる。よって、ドラムヘッドに響線の全体を密着させることができる。
【００１０】
請求項２に記載の発明は、請求項１記載のスネアワイヤにおいて、引張部材の引っ掛け部との接触位置が、接合部の下方に配置されていることを要旨とする。
この構成によれば、引張部材の引っ掛け部との接触位置を接合部の下方に配置することで、引っ掛け部に引っ掛けられた引張部材から押圧部へと力が伝わり易くなる。このため、取付具を回転させる力がより大きくなる。このため、響線をドラムヘッドに押し当てる力がより大きくなる。よって、響線の端部をドラムヘッドから浮き上がらせずにドラムヘッドに密着させることが、容易になる。
【００１１】
請求項３に記載の発明は、請求項１又は２記載のスネアワイヤにおいて、取付具は、スネアワイヤの長手方向と直交する方向から見て、断面Ｕ字状に形成されていることを要旨とする。
【００１２】
この構成によれば、取付具は、断面Ｕ字状に形成されることで、その形状に起因した弾性力を有することができる。このため、響線をドラムヘッドに押し当てる力として、取付具の弾性力を利用することができる。これにより、接合部に接合された響線を、ドラムヘッドに食い込ませずにかつ均一に密着させることができる。
【００１３】
請求項４に記載の発明は、請求項１〜３のうちいずれか一項に記載のスネアワイヤにおいて、取付具は、更に、押圧部と引っ掛け部とを繋ぐ連接部を有し、連接部は、引っ掛け部に引っ掛けられた引張部材よりも下方に配置されていることを要旨とする。
【００１４】
この構成によれば、引っ掛け部に引っ掛けられた引張部材よりも下方に連接部を配置することで、引張部材を連接部に接触させないようにすることができる。これにより、引張部材と取付具との接触箇所が引っ掛け部と押圧部とに限定されるため、例えば、皮革、樹脂、繊維等の材料からなる引張部材であっても、取付具と接触して受ける損傷を小さくすることができる。
【００１５】
請求項５に記載の発明は、請求項４に記載のスネアワイヤにおいて、連接部は、連接部と押圧部とが鈍角をなすように、押圧部に連接され、引張部材の引っ掛け部との接触部分は、Ｒ形状を有していることを要旨とする。
【００１６】
この構成によれば、連接部と押圧部とが鈍角をなすため、引張部材が押圧部と接触して受ける損傷を小さくすることができる。また、引張部材の引っ掛け部との接触部分がＲ形状を有しているため、引張部材が引っ掛け部と接触して受ける損傷も小さくすることができる。
【００１７】
請求項６に記載の発明は、請求項１〜５のうちいずれか一項に記載のスネアワイヤにおいて、取付具は、更に、接合部の先端に延設部を有し、延設部は、引っ掛け部に引っ掛けられた引張部材と接触可能な位置に設けられると共に、引っ掛け部に引っ掛けられた引張部材と同方向に延びていることを要旨とする。
【００１８】
この構成によれば、延設部は、引っ掛け部に引っ掛けられた引張部材により上方に押圧される。これにより、接合部の全体が、引張部材によって、延設部と共に、ドラムヘッドに向けて上方に押圧される。このため、響線の端部をドラムヘッドから浮き上がらせずにドラムヘッドに密着させることが、更に容易になる。
【００１９】
請求項７に記載の発明は、請求項１〜６のうちいずれか一項に記載の発明において、引張部材は、ストラップ又はコードであり、取付具は、ストラップが通されるストラップ孔と、コードが通されるコード孔とを有し、ストラップ孔及びコード孔は、引っ掛け部の共通の面に開口していることを要旨とする。
【００２０】
この構成によれば、ストラップの引っ掛け部との接触位置を、コードの引っ掛け部との接触位置と、ほぼ同じ位置に設定することができる。これにより、引張部材がストラップ及びコードのいずれであっても、響線の端部をドラムヘッドから浮き上がらせずに、ドラムヘッドに密着させることができる。よって、ストラップ及びコードの両方に適用可能なスネアワイヤを提供することができる。
【００２１】
請求項８に記載の発明は、請求項７に記載の発明において、押圧部は、引っ掛け部に引っ掛けられたストラップと当接する平板部と、引っ掛け部に引っ掛けられたコードと嵌合する嵌合凹部とを備え、嵌合凹部は、コードの直径と対応する寸法だけ平板部を部分的に凹ませてなることを要旨とする。
【００２２】
この構成によれば、引っ掛け部に引っ掛けられたストラップ又はコードにより押圧部が押圧される場合、ストラップは平板部に当接され、コードは嵌合凹部と嵌合する。これにより、引張部材がストラップ及びコードのいずれであっても、引張部材を含む押圧部の高さを同じにすることができる。このため、引張部材がストラップ及びコードのいずれであっても、響線の端部をドラムヘッドから浮き上がらせずにドラムヘッドに密着させることが、容易になる。
【００２３】
請求項９に記載の発明は、請求項１〜８のうちいずれか一項に記載の発明において、取付具は、引っ掛け部と押圧部との間の距離を変更可能に構成されていることを要旨とする。
【００２４】
この構成によれば、引っ掛け部と押圧部との間の距離を変更することで、引っ掛け部に引っ掛けられた引張部材から押圧部に力が伝わる力を調整することができ、取付具を回転させる力を調整することができる。これにより、接合部に接合された響線がドラムヘッドに押し当てられる力を、適切な大きさに調節することができる。よって、演奏者の好みに応じて、スネアドラム独特の音や響きを調整することができる。
【００２５】
請求項１０に記載の発明は、円筒状のシェルと、シェルの上下の開口端をそれぞれ閉塞する一対のドラムヘッドと、響線と響線の両端部に固定された一対の取付具とを有するスネアワイヤとを備えたスネアドラムであって、取付具は、響線が接合される接合部と、引張部材が引っ掛けられる引っ掛け部と、引っ掛け部に引っ掛けられた引張部材と接触してドラムヘッドから離間する方向に押圧される押圧部とを備え、引っ掛け部は、ドラムヘッドの中心と押圧部との間に配置され、かつ接合部の下方に配置されていることを要旨とする。
【００２６】
この構成によれば、請求項１記載の発明と同等の作用効果を奏することができる。
【発明の効果】
【００２７】
本発明によれば、ドラムヘッドに響線の端部を密着させることができる。
【図面の簡単な説明】
【００２８】
【図１】本発明の一実施形態に係るスネアワイヤがストラップを用いて取り付けられたスネアドラムの部分斜視図。
【図２】スネアワイヤがコードを用いて取り付けられたスネアドラムの部分斜視図。
【図３】ドラムヘッドから見た場合のスネアワイヤの平面図。
【図４】ドラムヘッドと反対側から見た場合のスネアワイヤの平面図。
【図５】スネアワイヤの取付具の斜視図。
【図６】ストラップを用いてスネアワイヤが取り付けられたスネアドラムの部分断面図。
【図７】コードを用いてスネアワイヤが取り付けられたスネアドラムの部分断面図。
【図８】別例のスネアワイヤが取り付けられたスネアドラムの部分断面図。
【発明を実施するための形態】
【００２９】
以下、本発明のスネアワイヤ１０を具体化した一実施形態について図１〜図７を参照して説明する。
図１及び図２に示すように、スネアドラム１は、円筒状のシェル２と、シェル２の上下の開口端を閉塞する一対のドラムヘッドと、スネアワイヤ１０とを備えている。スネアドラム１の演奏時、スネアワイヤ１０は、図示しない上側のドラムヘッドが叩打されて振動すると共に、下側のドラムヘッド４との接触及びドラムヘッド４からの離間を繰り返す。こうして、スネアドラム独特の響きを得ることができる。図1及び図２は、便宜上、下側のドラムヘッド４を上向きにしてそれぞれ示している。
【００３０】
スネアワイヤ１０は、図１に示すストラップ５又は図２に示すコード６等の引張部材を用いて、ドラムヘッド４の表面上に張設されている。スネアドラム１は、更に、シェル２の外周面に固定されかつストラップ５又はコード６が保持される保持具７を備えている。スネアワイヤ１０は、保持具７の図示しないレバーの切換操作によって、ドラムヘッド４に接触した位置と、ドラムヘッド４から離間した位置とに選択的に切換可能である。
【００３１】
図３及び図４に示すように、スネアワイヤ１０は、平行に配置した複数の響線１１と、複数の響線１１の両端部に固定された一対の取付具１２とを備えている。取付具１２は、スネアワイヤ１０の長手方向と直交する方向に延びる長尺状の部品である。取付具１２は、複数の響線１１が溶接される接合部２０と、ストラップ５又はコード６が引っ掛けられる引っ掛け部２３と、ストラップ５が通される２つのストラップ孔２１ａ，２１ｂと、コード６が通される一対のコード孔２２とを備えている。
【００３２】
図５に示すように、取付具１２は、ストラップ孔２１ａ，２１ｂ及びコード孔２２と共に所定の形状に打ち抜かれた一枚の金属板材を、所定の形状に折り曲げて形成されている。取付具１２は、スネアワイヤ１０の長手方向と直交する方向から見て、断面略Ｕ字状に折り曲げられている。取付具１２は、取付具１２に力が作用していない状態で、接合部２０と引っ掛け部２３とがそれらの連結部を中心に少し開いた形状を有している。
【００３３】
ストラップ孔２１ａ，２１ｂは、大きさの異なる２つの長四角孔からなる。相対的に小さいストラップ孔が第１ストラップ孔２１ａであり、相対的に大きいストラップ孔が第２ストラップ孔２１ｂである。第２ストラップ孔２１ｂは、一対のコード孔２２と共に、引っ掛け部２３の共通の面上に開口している。一対のコード孔２２のそれぞれは、同一寸法及び同一形状の丸孔からなる。図４に示すように、スネアワイヤ１０の長手方向で見た場合、各コード孔２２は、第２ストラップ孔２１ｂとほぼ同位置に配置されている。具体的には、コード孔２２の中心位置は、第２ストラップ孔２１ｂの中央と、第２ストラップ孔２１ｂの響線１１に近い長辺２４との間に配置されている。
【００３４】
図６及び図７に示すように、取付具１２は、更に、接合部２０の先端から斜め上方に延びる延設部２０ａを備えている。延設部２０ａは、接合部２０に隣接する平板状の部分であり、取付具１２の両端部のうちの一方を形成している。延設部２０ａは、引っ掛け部２３に引っ掛けられたストラップ５やコード６とほぼ同方向に延びている。また、延設部２０ａは、引っ掛け部２３に引っ掛けられたストラップ５やコード６と接触可能な位置に設けられている。
【００３５】
引っ掛け部２３は、接合部２０の下方に配置される断面L字状の部分であり、取付具１２の中央部分を形成している。引っ掛け部２３は、接合部２０の基端から下方に延びる第１引っ掛け部２３ａと、第１引っ掛け部２３ａから接合部２０と平行に延びる第２引っ掛け部２３ｂとからなる。第１ストラップ孔２１ａは、第１引っ掛け部２３ａの中央に形成されている。第２ストラップ孔２１ｂは、一対のコード孔２２と共に、第２引っ掛け部２３ｂに形成されている。第２ストラップ孔２１ｂは、第２引っ掛け部２３ｂの中央に形成されることで、取付具１２の長手方向で見た場合に第１ストラップ孔２１ａと同位置に配置されている。
【００３６】
スネアワイヤ１０の長手方向で見た場合、引っ掛け部２３は、ドラムヘッド４の中心Ｏと、後述する押圧部２５との間に配置されている。具体的には、引っ掛け部２３にストラップ５が引っ掛けられて接触する接触位置と、引っ掛け部２３にコード６が引っ掛けられて接触する接触位置とが、接合部２０の下方に配置されている。図１及び図６に示すように、ストラップ５は、第２引っ掛け部２３ｂにおける第１ストラップ孔２１ａと第２ストラップ孔２１ｂとの間の部分に引っ掛けられる。図２及び図７に示すように、コード６は、第２引っ掛け部２３ｂにおける一対のコード孔２２間の部分に引っ掛けられる。ここで、第１ストラップ孔２１ａが第１引っ掛け部２３ａに形成されているため、ストラップ５は、コード６よりも、ドラムヘッド４の中心Ｏに近い位置で引っ掛け部２３に引っ掛けられている。
【００３７】
図５、図６及び図７に示すように、引っ掛け部２３にストラップ５が引っ掛けられる部分は、第１引っ掛け部２３ａにおいて第１ストラップ孔２１ａが形成される部分を外側に折り曲げて形成されている。即ち、引っ掛け部２３にストラップ５が引っ掛けられる部分は、第２引っ掛け部２３ｂ上の第１ストラップ孔２１ａと第２ストラップ孔２１ｂとの間の部分に金属板材を重ね合わせることで、平面視で略長方形状に形成されている。引っ掛け部２３にコード６が引っ掛けられる部分は、第２引っ掛け部２３ｂにおいてコード孔２２が形成される部分を外側に折り曲げて形成されている。即ち、引っ掛け部２３にコード６が引っ掛けられる部分は、第２引っ掛け部２３ｂ上のコード孔２２の周縁部に金属板材を重ね合わせることで、平面視で略環状に形成されている。引っ掛け部２３にストラップ５が引っ掛けられて接触する部分、及び引っ掛け部２３にコード６が引っ掛けられて接触する部分はいずれも、金属板材が１８０°折り曲げられることで、Ｒ形状を有している。
【００３８】
取付具１２は、更に、引っ掛け部２３の端部から斜め上方に延びる連接部２３ｃと、連接部２３ｃの先端から水平方向に延びる押圧部２５とを備えている。連接部２３ｃは、延設部２０ａと略平行に延びると共に、押圧部２５と引っ掛け部２３とを繋ぐ部分を形成している。連接部２３ｃは、引っ掛け部２３に引っ掛けられたストラップ５やコード６よりも下方に配置されている。連接部２３ｃは、連接部２３ｃと押圧部２５とが鈍角をなすように、押圧部２５に連接されている。第２ストラップ孔２１ｂは、第２引っ掛け部２３ｂと連接部２３ｃとに跨って形成されている。
【００３９】
押圧部２５は、引っ掛け部２３に引っ掛けられたストラップ５やコード６により押圧される部分であり、取付具１２の両端部のうちの他方を形成している。押圧部２５は、引っ掛け部２３に引っ掛けられたストラップ５やコード６と接触可能な位置に設けられている。押圧部２５は、引っ掛け部２３に引っ掛けられたストラップ５又はコード６によって、ドラムヘッド４から離間する方向に押圧される。
【００４０】
図４及び図５に示すように、押圧部２５は、引っ掛け部２３に引っ掛けられたストラップ５と当接する平板部２６と、引っ掛け部２３に引っ掛けられたコード６と嵌合する一対の嵌合凹部２７とを備えている。各嵌合凹部２７は、一対のコード孔２２のそれぞれとほぼ同位置に形成されている。具体的には、各嵌合凹部２７は、コード孔２２を通り図２に示す保持具７へ引っ張られているコード６を真っ直ぐに案内するように、一対のコード孔２２のそれぞれとほぼ対応する位置に形成されている。各嵌合凹部２７は、平板部２６の一部をストラップ５又はコード６により押圧される方向に凹ませて、それぞれ形成されている。各嵌合凹部２７は、コード６の直径と対応する深さを有している。図６及び図７に示すように、各嵌合凹部２７の深さは、ストラップ５を重ね合わせた厚さをコード６の直径から差し引いた値に設定されている。これにより、ストラップ５を用いてスネアワイヤ１０をドラムヘッド４に取り付けた図６に示す状態と、コード６を用いてスネアワイヤ１０をドラムヘッド４に取り付けた図７に示す状態とで、ストラップ５又はコード６を含む押圧部２５の高さＨが同じになる。その結果、ストラップ５を用いた図６に示す状態と、コード６を用いた図７に示す状態とで、ドラムヘッド４に対する取付具１２の傾きが同じになる。よって、スネアワイヤ１０にストラップ５及びコード６のいずれを用いても、響線１１の端部をドラムヘッド４から浮き上がらせずに密着させることができる。
【００４１】
次に、上記のスネアワイヤ１０の作用について、図６及び図７を参照して説明する。
スネアドラム１の演奏時、スネアワイヤ１０をドラムヘッド４に接触させるため、ストラップ５又はコード６が、引っ掛け部２３に引っ掛けられた状態で、図６及び図７の矢印Ｐ方向へ引っ張られる。すると、図６及び図７の矢印Ｑに示すように、押圧部２５は、引っ掛け部２３に引っ掛けられたストラップ５又はコード６によって、ドラムヘッド４から離れる方向である下方に押圧される。これにより、取付具１２の全体が図６及び図７の時計回りに回転することで、押圧部２５と反対側の接合部２０がドラムヘッド４に向けて上方へと移動する。こうして、接合部２０に接合された響線１１が、ドラムヘッド４に押し当てられる。
【００４２】
本実施形態によれば、引っ掛け部２３が、ドラムヘッド４の中心Ｏと押圧部２５との間に配置されると共に、接合部２０の下方に配置されている。引っ掛け部２３、押圧部２５及び接合部２０を上記のように配置することで、ストラップ５又はコード６が矢印Ｐ方向へ引っ張られたときに発生する張力を、押圧部２５を押圧する矢印Ｑ方向の力として、効率良く利用することができる。これにより、ストラップ５又はコード６により押圧部２５を押圧する力が大きくなり、取付具１２を回転させる力も大きくなる。よって、響線１１をドラムヘッド４に押し当てる力が大きくなる。
【００４３】
また、このとき、延設部２０ａは、引っ掛け部２３に引っ掛けられたストラップ５又はコード６により上方に押圧される。これにより、接合部２０の全体が、ストラップ５又はコード６によって、延設部２０ａと共に、ドラムヘッド４に向けて上方に押圧される。よって、取付具１２を回転させる力が大きくなることに加え、延設部２０ａがストラップ５又はコード６により直接押圧されることで、響線１１をドラムヘッド４に押し当てる力が更に大きくなる。
【００４４】
従って、本実施形態によれば、以下のような効果を得ることができる。
（１）引っ掛け部２３が、ドラムヘッド４の中心Ｏと押圧部２５との間に配置されると共に、接合部２０の下方に配置されている。この構成によれば、引っ掛け部２３をドラムヘッド４の中心Ｏと押圧部２５との間に配置し、かつ接合部２０の下方に配置することで、押圧部２５は、引っ掛け部２３に引っ掛けられたストラップ５又はコード６により下方に押圧される。これにより、取付具１２の全体が回転し、引っ掛け部２３の上方に位置する接合部２０が、ドラムヘッド４に向けて上方へと移動する。こうして、接合部２０に接合された響線１１が、ドラムヘッド４に押し当てられる。このとき、引っ掛け部２３を接合部２０の下方に配置したことで、取付具１２を回転させる力が大きくなり、響線１１をドラムヘッド４に押し当てる力も大きくなる。このため、響線１１の端部をドラムヘッド４から浮き上がらせずに、ドラムヘッド４に密着させることができる。よって、ドラムヘッド４に響線１１の全体を密着させることができる。
【００４５】
（２）引っ掛け部２３にストラップ５が接触する接触位置と、引っ掛け部２３にコード６が接触する接触位置とが、接合部２０の下方に配置されている。この構成によれば、ストラップ５又はコード６の引っ掛け部２３との接触位置を接合部２０の下方に配置することで、引っ掛け部２３に引っ掛けられたストラップ５又はコード６から押圧部２５に力が伝わり易くなる。このため、取付具１２を回転させる力がより大きくなる。このため、響線１１をドラムヘッド４に押し当てる力がより大きくなる。よって、響線１１の端部をドラムヘッド４から浮き上がらせずにドラムヘッド４に密着させることが、容易になる。
【００４６】
（３）取付具１２は、スネアワイヤ１０の長手方向と直交する方向から見て、断面略Ｕ字状に折り曲げられている。この構成によれば、取付具１２は、断面Ｕ字状に形成されることで、その形状に起因した弾性力を有することができる。このため、響線１１をドラムヘッド４に押し当てる力として、取付具１２の弾性力を利用することができる。これにより、接合部２０に溶接された響線１１を、ドラムヘッド４に食い込ませずにかつ均一に密着させることができる。
【００４７】
（４）連接部２３ｃは、引っ掛け部２３に引っ掛けられたストラップ５やコード６よりも下方に配置されている。この構成によれば、引っ掛け部２３に引っ掛けられたストラップ５又はコード６よりも下方に連接部２３ｃを配置することで、ストラップ５又はコード６を連接部２３ｃに接触させないようにすることができる。これにより、ストラップ５又はコード６と取付具１２との接触箇所を、引っ掛け部２３と押圧部２５とに限定することができる。このため、例えば、ストラップ５又はコード６が皮革、樹脂、繊維等の軟らかい材料からなる場合であっても、ストラップ５やコード６が取付具１２と接触して受ける損傷を小さくすることができる。
【００４８】
（５）連接部２３ｃは、連接部２３ｃと押圧部２５とが鈍角をなすように、押圧部２５に連接されている。また、引っ掛け部２３にストラップ５が引っ掛けられて接触する部分、及び引っ掛け部２３にコード６が引っ掛けられて接触する部分はいずれも、Ｒ形状を有している。この構成によれば、連接部２３ｃと押圧部２５とが鈍角をなすため、ストラップ５又はコード６が押圧部２５と接触して受ける損傷を小さくすることができる。また、ストラップ５又はコード６の引っ掛け部２３との接触部分がＲ形状を有しているため、ストラップ５又はコード６が引っ掛け部２３と接触して受ける損傷も小さくすることができる。
【００４９】
（６）取付具１２は、更に、接合部２０の先端から斜め上方に延びる延設部２０ａを備えている。この構成によれば、延設部２０ａは、引っ掛け部２３に引っ掛けられたストラップ５又はコード６により上方に押圧される。これにより、接合部２０の全体が、ストラップ５又はコード６によって、延設部２０ａと共に、ドラムヘッド４に向けて上方に押圧される。このため、響線１１の端部をドラムヘッド４から浮き上がらせずにドラムヘッド４に密着させることが、更に容易になる。
【００５０】
（７）第１ストラップ孔２１ａは、コード孔２２と共に、引っ掛け部２３の共通の面上に開口している。この構成によれば、延設部２０ａは、引っ掛け部２３に引っ掛けられたストラップ５又はコード６により上方に押圧される。これにより、接合部２０の全体が、ストラップ５又はコード６によって、延設部２０ａと共に、ドラムヘッド４に向けて上方に押圧される。このため、響線１１の端部をドラムヘッド４から浮き上がらせずにドラムヘッド４に密着させることが、更に容易になる。
【００５１】
（８）押圧部２５は、引っ掛け部２３に引っ掛けられたストラップ５と当接する平板部２６と、引っ掛け部２３に引っ掛けられたコード６と嵌合する一対の嵌合凹部２７とを備えている。この構成によれば、引っ掛け部２３に引っ掛けられたストラップ５又はコード６により押圧部２５が押圧される場合、ストラップ５は平板部２６に当接され、コード６は嵌合凹部２７と嵌合する。これにより、ストラップ５又はコード６のいずれであっても、ストラップ５又はコード６を含む押圧部２５の高さを同じにすることができる。このため、ストラップ５又はコード６のいずれであっても、響線１１の端部をドラムヘッド４から浮き上がらせずにドラムヘッド４に密着させることが、容易になる。
【００５２】
なお、本実施形態は、以下のように変更してもよい。
・図８に示すように、引っ掛け部８３と押圧部８５との間の距離を変更可能に、取付具８２を構成してもよい。この構成によれば、引っ掛け部８３と押圧部８５との間の距離を、距離ｄ１と距離ｄ２との間で変更することができる。これにより、引っ掛け部８３に引っ掛けられたストラップ５又はコード６から押圧部８５に力が伝わる力を調整することができ、取付具８２を回転させる力を調整することができる。これにより、接合部８０に溶接された響線１１がドラムヘッド４に押し当てられる力を、適切な大きさに調節することができる。よって、演奏者の好みに応じて、スネアドラム独特の音や響きを調整することができる。
【００５３】
・本実施形態において、ドラムヘッド４の中心Ｏと押圧部２５との間でかつ接合部２０の下方であれば、引っ掛け部２３を任意の位置に配置してもよい。例えば、スネアワイヤ１０の長手方向で見た場合、接合部２０と同じ位置以外に、ドラムヘッド４の中心Ｏと接合部２０との間に、引っ掛け部２３にストラップ５が接触する接触位置や、引っ掛け部２３にコード６が接触する接触位置を配置してもよい。
【００５４】
・本実施形態において、ドラムヘッド４の中心Ｏと押圧部２５との間に接合部２０と引っ掛け部２３とが配置され、かつ接合部２０の下方に引っ掛け部２３が配置されるのであれば、取付具１２を任意の形状に形成してもよい。
【００５５】
・本実施形態において、連接部２３ｃと押圧部２５との連接部分は、鈍角を有する形状以外に、平面形状やＲ形状を有していてもよい。
・本実施形態において、接合部２０の先端から、延設部２０ａを省略してもよい。
【００５６】
・本実施形態において、第２ストラップ孔２１ｂとコード孔２２とは、引っ掛け部２３の共通の面上に開口していなくてもよい。例えば、第１及び第２ストラップ孔２１ａ，２１ｂの両方を第１引っ掛け部２３ａに形成し、コード孔２２を第２引っ掛け部２３ｂに形成してもよい。
【００５７】
・本実施形態において、押圧部２５から、一対の嵌合凹部２７を省略してもよい。この場合、引っ掛け部２３に引っ掛けられたコード６は、平板部２６に当接される。
・本実施形態において、スネアワイヤ１０は、ストラップ５及びコード６の両方に適用可能なスネアワイヤであったが、第１及び第２ストラップ孔２１ａ，２１ｂ及びコード孔２２のいずれかを削除して、ストラップ専用のスネアワイヤ又はコード専用のスネアワイヤであってもよい。
【符号の説明】
【００５８】
１…スネアドラム、４…ドラムヘッド、５…ストラップ、６…コード、１０…スネアワイヤ、１１…響線、１２…取付具、２０…接合部、２０ａ…延設部、２１ａ…第１ストラップ孔、２１ｂ…第２ストラップ孔、２５…押圧部、２３ｃ…連接部、２６…平板部、２７…嵌合凹部。
【図１】
2018004994.tif 000003
【図２】
2018004994.tif 000004
【図３】
2018004994.tif 000005
【図４】
2018004994.tif 000006
【図５】
2018004994.tif 000007
【図６】
2018004994.tif 000008
【図７】
2018004994.tif 000009
【図８】
2018004994.tif 000010